(57)【要約】【課題】不正に持ち出された紙幣を検出し通報することができるようにする。【解決手段】  レジスター端末１０−１，１０−２、自動販売機端末２０−１，２０−２、ＡＴＭ端末３０−１，３０−２は入金時に紙幣のＩＣタグから紙幣番号を読み取り入金紙幣番号としてインターネット１００を介して紙幣管理システム４０に送信する。出金時には出金紙幣番号として送信する。同時に各端末の識別情報又は設置場所情報を紙幣管理システム４０に送信する。入出金情報収集システム４１はこれらの情報をデータベース４４に記憶させ、出金時には出金紙幣番号と同一番号の入金紙幣番号を削除する。盗難情報照合システム４３は新たに送信されてきた入金紙幣番号と既にデータベース４４にある入金紙幣番号とを常に照合し合致するものがある場合、盗難情報収集／配信システム４２はその紙幣の紙幣番号を盗難紙幣通報情報として出力する。【選択図】図１
2005122500.tif 000002
【特許請求の範囲】
【請求項１】
複数の端末とネットワークを介して接続されたサーバが、各端末に入金又は出金された紙幣の紙幣番号を管理し、盗難紙幣に関する情報を通報する盗難紙幣通報システムであって、
各端末は、
入金又は出金時に、各紙幣に搭載された、各紙幣に固有の紙幣番号が記録されたＩＣチップから、前記紙幣番号を読み取る読み取り手段と、
前記読み取り手段によって読み取られた前記紙幣番号と、各端末の識別情報又は設置場所情報と、入金又は出金時のいずれであるかを示す情報とを前記ネットワークを介して前記サーバに送信する送信手段と
を備え、
前記サーバは、
各端末から送信されてきた前記紙幣番号と、各端末の識別情報又は設置場所情報と、入金又は出金時のいずれであるかを示す情報とを受信する受信手段と、
前記受信手段によって受信された前記紙幣番号と、各端末の識別情報又は設置場所情報と、入金又は出金時のいずれであるかを示す情報とを対応付けて記憶する記憶手段と、
前記記憶手段によって既に記憶されている前記紙幣番号と、各端末から送信されてきた前記紙幣番号とを照合する照合手段と、
前記照合手段による照合の結果を出力する出力手段と
を備えることを特徴とする盗難紙幣通報システム。
【請求項２】
前記照合手段は、前記複数の端末の所定のものに入金された紙幣の紙幣番号と同一の紙幣番号が、前記記憶手段によって既に記憶されている場合、前記紙幣は不正に持ち出されたものであると判断する
ことを特徴とする請求項１に記載の盗難紙幣通報システム。
【請求項３】
盗難紙幣の紙幣番号を盗難紙幣番号として入力する入力手段と、
前記入力手段によって入力された前記盗難紙幣番号を前記ネットワークを介して各端末に配信する配信手段と
をさらに備え、
前記記憶手段は、前記盗難紙幣番号を記憶し、
前記照合手段は、各端末に入金された紙幣の紙幣番号と、前記盗難紙幣番号とが一致する場合、前記紙幣を盗難紙幣であると判断する
ことを特徴とする請求項１に記載の盗難紙幣通報システム。
【請求項４】
複数の端末とネットワークを介して接続されたサーバが、各端末に入金又は出金された紙幣の紙幣番号を管理し、盗難紙幣に関する情報を通報する盗難紙幣通報システムにおける盗難紙幣通報方法であって、
各端末は、
入金又は出金時に、各紙幣に搭載された、各紙幣に固有の紙幣番号が記録されたＩＣチップから、前記紙幣番号を読み取る読み取りステップと、
前記読み取りステップにおいて読み取られた前記紙幣番号と、各端末の識別情報又は設置場所情報と、入金又は出金時のいずれであるかを示す情報とを前記ネットワークを介して前記サーバに送信する送信ステップと
を備え、
前記サーバは、
各端末から送信されてきた前記紙幣番号と、各端末の識別情報又は設置場所情報と、入金又は出金時のいずれであるかを示す情報とを受信する受信ステップと、
前記受信ステップにおいて受信された前記紙幣番号と、各端末の識別情報又は設置場所情報と、入金又は出金時のいずれであるかを示す情報とを対応付けて所定の記憶装置に記憶する記憶ステップと、
前記記憶装置に既に記憶されている前記紙幣番号と、各端末から送信されてきた前記紙幣番号とを照合する照合ステップと、
前記照合ステップにおける照合の結果を出力する出力ステップと
を備えることを特徴とする盗難紙幣通報方法。
【請求項５】
前記照合ステップにおいては、前記複数の端末の所定のものに入金された紙幣の紙幣番号と同一の紙幣番号が、前記記憶装置に既に記憶されている場合、前記紙幣は不正に持ち出されたものであると判断する
ことを特徴とする請求項４に記載の盗難紙幣通報方法。
【請求項６】
盗難紙幣の紙幣番号を盗難紙幣番号として入力する入力ステップと、
前記入力ステップにおいて入力された前記盗難紙幣番号を前記ネットワークを介して各端末に配信する配信ステップと
をさらに備え、
前記記憶装置は、前記盗難紙幣番号を記憶し、
前記照合ステップにおいては、各端末に入金された紙幣の紙幣番号と、前記盗難紙幣番号とが一致する場合、前記紙幣は盗難紙幣であると判断される
ことを特徴とする請求項４に記載の盗難紙幣通報方法。
【請求項７】
複数の端末とネットワークを介して接続されたサーバが、各端末に入金又は出金された紙幣の紙幣番号を管理し、盗難紙幣に関する情報を通報する盗難紙幣通報システムを制御する盗難紙幣通報プログラムであって、
各端末に、
入金又は出金時に、各紙幣に搭載された、各紙幣に固有の紙幣番号が記録されたＩＣチップから、前記紙幣番号を読み取る読み取りステップと、
前記読み取りステップにおいて読み取られた前記紙幣番号と、各端末の識別情報又は設置場所情報と、入金又は出金時のいずれであるかを示す情報とを前記ネットワークを介して前記サーバに送信する送信ステップと
を実行させ、
前記サーバに、
各端末から送信されてきた前記紙幣番号と、各端末の識別情報又は設置場所情報と、入金又は出金時のいずれであるかを示す情報とを受信する受信ステップと、
前記受信ステップにおいて受信された前記紙幣番号と、各端末の識別情報又は設置場所情報と、入金又は出金時のいずれであるかを示す情報とを対応付けて所定の記憶装置に記憶する記憶ステップと、
前記記憶装置に既に記憶されている前記紙幣番号と、各端末から送信されてきた前記紙幣番号とを照合する照合ステップと、
前記照合ステップにおける照合の結果を出力する出力ステップと
を実行させる
ことを特徴とする盗難紙幣通報プログラム。
【発明の詳細な説明】
【技術分野】
【０００１】
本発明は、不正に持ち出された紙幣の紙幣番号を盗難情報として通報する盗難紙幣通報システムに関するものである。
【背景技術】
【０００２】
従来、紙幣、株券など有価な証券類に微細なＩＣチップを搭載し、ＩＣチップの記憶装置にロック情報及びロックキーを格納し、ロック情報がロック／アンロックのいずれかの状態を保持し、業務サーバが、ＩＣチップ読取装置を介してロック情報の状態を読み取り、それがアンロック状態でなければ業務処理を開始せず、管理サーバがＩＣチップ読取・書込装置を介してＩＣチップと通信し、ロックキーが正しいものと認証した後に、必要に応じてロック情報の状態を変更することにより、証券類が搾取されたことを識別して不正利用を防ぐとともに、正規な管理元に取り戻せた場合には再利用を可能とするものがある。
【特許文献１】特開２００１−２６０５８０号公報
【発明の開示】
【発明が解決しようとする課題】
【０００３】
しかしながら、従来の方法では、紙幣に搭載したＩＣチップにロック情報を書き換え可能に記録するため、ロック情報が不正に書き換えられる場合があるという問題があった。
本発明はこのような状況に鑑みてなされたものであり、紙幣の入出金を管理することにより、紙幣が不正に持ち出されたものであるか否かを検出し、不正な紙幣の使用を抑制することができるようにするものである。
【課題を解決するための手段】
【０００４】
請求項１に記載の盗難紙幣通報システムは、複数の端末とネットワークを介して接続されたサーバが、各端末に入金又は出金された紙幣の紙幣番号を管理し、盗難紙幣に関する情報を通報する盗難紙幣通報システムであって、各端末は、入金又は出金時に、各紙幣に搭載された、各紙幣に固有の紙幣番号が記録されたＩＣチップから、紙幣番号を読み取る読み取り手段と、読み取り手段によって読み取られた紙幣番号と、各端末の識別情報又は設置場所情報と、入金又は出金時のいずれであるかを示す情報とをネットワークを介してサーバに送信する送信手段とを備え、サーバは、各端末から送信されてきた紙幣番号と、各端末の識別情報又は設置場所情報と、入金又は出金時のいずれであるかを示す情報とを受信する受信手段と、受信手段によって受信された紙幣番号と、各端末の識別情報又は設置場所情報と、入金又は出金時のいずれであるかを示す情報とを対応付けて記憶する記憶手段と、記憶手段によって既に記憶されている紙幣番号と、各端末から送信されてきた紙幣番号とを照合する照合手段と、照合手段による照合の結果を出力する出力手段とを備えることを特徴とする。
また、照合手段は、複数の端末の所定のものに入金された紙幣の紙幣番号と同一の紙幣番号が、記憶手段によって既に記憶されている場合、紙幣は不正に持ち出されたものであると判断するようにすることができる。
また、盗難紙幣の紙幣番号を盗難紙幣番号として入力する入力手段と、入力手段によって入力された盗難紙幣番号をネットワークを介して各端末に配信する配信手段とをさらに備え、記憶手段は、盗難紙幣番号を記憶し、照合手段は、各端末に入金された紙幣の紙幣番号と、盗難紙幣番号とが一致する場合、紙幣を盗難紙幣であると判断するようにすることができる。
請求項４に記載の盗難紙幣通報方法は、複数の端末とネットワークを介して接続されたサーバが、各端末に入金又は出金された紙幣の紙幣番号を管理し、盗難紙幣に関する情報を通報する盗難紙幣通報システムにおける盗難紙幣通報方法であって、各端末は、入金又は出金時に、各紙幣に搭載された、各紙幣に固有の紙幣番号が記録されたＩＣチップから、紙幣番号を読み取る読み取りステップと、読み取りステップにおいて読み取られた紙幣番号と、各端末の識別情報又は設置場所情報と、入金又は出金時のいずれであるかを示す情報とをネットワークを介してサーバに送信する送信ステップとを備え、サーバは、各端末から送信されてきた紙幣番号と、各端末の識別情報又は設置場所情報と、入金又は出金時のいずれであるかを示す情報とを受信する受信ステップと、受信ステップにおいて受信された紙幣番号と、各端末の識別情報又は設置場所情報と、入金又は出金時のいずれであるかを示す情報とを対応付けて所定の記憶装置に記憶する記憶ステップと、記憶装置に既に記憶されている紙幣番号と、各端末から送信されてきた紙幣番号とを照合する照合ステップと、照合ステップにおける照合の結果を出力する出力ステップとを備えることを特徴とする。
また、照合ステップにおいては、複数の端末の所定のものに入金された紙幣の紙幣番号と同一の紙幣番号が、記憶装置に既に記憶されている場合、紙幣は不正に持ち出されたものであると判断するようにすることができる。
また、盗難紙幣の紙幣番号を盗難紙幣番号として入力する入力ステップと、入力ステップにおいて入力された盗難紙幣番号をネットワークを介して各端末に配信する配信ステップとをさらに備え、記憶装置は、盗難紙幣番号を記憶し、照合ステップにおいては、各端末に入金された紙幣の紙幣番号と、盗難紙幣番号とが一致する場合、紙幣は盗難紙幣であると判断されるようにすることができる。
請求項７に記載の盗難紙幣通報プログラムは、複数の端末とネットワークを介して接続されたサーバが、各端末に入金又は出金された紙幣の紙幣番号を管理し、盗難紙幣に関する情報を通報する盗難紙幣通報システムを制御する盗難紙幣通報プログラムであって、各端末に、入金又は出金時に、各紙幣に搭載された、各紙幣に固有の紙幣番号が記録されたＩＣチップから、紙幣番号を読み取る読み取りステップと、読み取りステップにおいて読み取られた紙幣番号と、各端末の識別情報又は設置場所情報と、入金又は出金時のいずれであるかを示す情報とをネットワークを介してサーバに送信する送信ステップとを実行させ、サーバに、各端末から送信されてきた紙幣番号と、各端末の識別情報又は設置場所情報と、入金又は出金時のいずれであるかを示す情報とを受信する受信ステップと、受信ステップにおいて受信された紙幣番号と、各端末の識別情報又は設置場所情報と、入金又は出金時のいずれであるかを示す情報とを対応付けて所定の記憶装置に記憶する記憶ステップと、記憶装置に既に記憶されている紙幣番号と、各端末から送信されてきた紙幣番号とを照合する照合ステップと、照合ステップにおける照合の結果を出力する出力ステップとを実行させることを特徴とする。
【発明の効果】
【０００５】
本発明の盗難紙幣通報システムによれば、各端末は、入金又は出金時に、各紙幣に搭載された、各紙幣に固有の紙幣番号が記録されたＩＣチップから、紙幣番号を読み取り、読み取られた紙幣番号と、各端末の識別情報又は設置場所情報と、入金又は出金時のいずれであるかを示す情報とをネットワークを介してサーバに送信し、サーバは、受信された紙幣番号と、各端末の識別情報又は設置場所情報と、入金又は出金時のいずれであるかを示す情報とを対応付けて所定の記憶装置に記憶し、記憶装置に既に記憶されている紙幣番号と、各端末から送信されてきた紙幣番号とを照合するようにしたので、盗難等により不正に持ち出された紙幣を検出することができ、紙幣の不正使用を抑制することができる。
【発明を実施するための最良の形態】
【０００６】
図１は、本発明の盗難紙幣通報システムの一実施の形態の構成例を示すブロック図である。本実施の形態は、各銀行や各店舗等に設置されているＡＴＭ端末３０−１，３０−２、レジスター端末１０−１，１０−２、自動販売機端末２０−１，２０−２、図示せぬ両替機等の紙幣を扱う機器に対して、紙幣に埋め込まれたＩＣタグ（ＩＣチップ）に記憶されている情報（紙幣番号）を読み取る機能と、入金時にＩＣタグより読み取った情報（入金紙幣番号）と入金場所に関する情報（紙幣が入金された端末の設置されている住所や、その端末を識別するための識別情報等）を入金情報としてインターネット１００を介してデータベース４４に登録し、出金時にも同様にＩＣタグから読み取った情報（出金紙幣番号）と出金場所に関する情報（紙幣が出金された端末の設置されている住所や、その端末を識別するための識別情報等）を出金情報としてインターネット１００を介してデータベース４４に登録する機能と、この入金情報と出金情報からなる入出金情報をデータベース４４に蓄積し、データベース４４に蓄積された紙幣盗難情報（盗難紙幣番号）を検索する機能を持たせ、盗難、強盗等によって不正に持ち出された紙幣が各機器に入金されるか、又は他の機器に入金され、保管されていることを示す入金情報がデータベース４４に記憶されているにも拘らず別の場所に設置されている機器において入金情報が発生した場合、その入金情報を盗難情報として自動的にインターネット１００を介して警察署等に設置されている紙幣盗難配信システム５０に通報することにより、盗難紙幣の流通情報を迅速に警察に提供することができるようにしたものである。また、出金情報を登録するときに、その出金情報に含まれる紙幣番号と同一の紙幣番号を含む、以前に登録された入金情報を削除する機能を持たせるようにしている。以下、本発明の実施の形態の構成及び動作について詳細に説明する。
【０００７】
図１に示すように、本実施の形態は、レジスター端末１０−１と、レジスター端末１０−２と、自動販売機端末２０−１と、自動販売機端末２０−２と、ＡＴＭ端末３０−１と、ＡＴＭ端末３０−２と、紙幣管理システム４０と、紙幣盗難配信システム５０等により構成されており、各々はインターネット１００を介して接続されている。
【０００８】
レジスター端末１０−１、レジスター端末１０−２、自動販売機端末２０−１、自動販売機端末２０−２、ＡＴＭ端末３０−１、ＡＴＭ端末３０−２（以下ではこれらの端末を適宜単に、端末群１０〜３０と記載する）は、それぞれ金融業者や流通業者等の店舗等に設置されており、予め紙幣に埋め込まれているＩＣタグに記憶されている情報（紙幣番号）を読み出す機能を有している。また、ＩＣタグ付きの紙幣から読み出した紙幣番号と、その紙幣から紙幣番号を読み出した端末群１０〜３０の所定のものの識別情報又は設置場所を入出金情報としてインターネット１００を介して紙幣管理システム４０へ情報配信する機能も有している。即ち、端末群１０〜３０は図示せぬ記憶装置をそれぞれ有しており、それぞれ自身の識別番号（固有のユニークな番号）又は設置場所（住所等）を示す情報が記憶装置に記憶されている。
【０００９】
紙幣管理システム４０は情報処理装置であり、入出金情報収集システム４１と、盗難情報収集／配信システム４２と、盗難情報照合システム４３と、データベース４４とから構成されている。入出金情報収集システム４１は、インターネット１００を介して端末群１０〜３０と接続され、端末群１０〜３０に紙幣（ＩＣタグ付き）が入出金された際に、ＩＣタグから読み出された入金紙幣番号又は出金紙幣番号と、紙幣が入出金された端末群１０〜３０の所定のものの識別番号又は端末群１０〜３０の所定のものが設置されている場所を示す住所等の入金端末情報又は出金端末情報とからなる入出金情報（入金紙幣番号と入金端末情報、又は出金紙幣番号と出金端末情報）がインターネット１００を介して配信されたとき、配信された入出金情報を受信し、受信した入出金情報をデータベース４４に供給し、格納するようになっている。
【００１０】
盗難情報収集／配信システム４２は、インターネット１００を介して警察署等に設置されている紙幣盗難配信システム５０と接続され、警察署等で情報収集された紙幣盗難情報（盗難等により不正に持ち出された紙幣の紙幣番号（盗難紙幣番号）、盗難場所、盗難日時等）を紙幣盗難配信システム５０よりインターネット１００を介して収集し、収集した紙幣盗難情報をデータベース４４に供給し、格納するようになっている。
【００１１】
盗難情報照合システム４３は、入出金情報収集システム４１によって収集された入出金情報（入金紙幣番号及び入金端末情報と、出金紙幣番号及び出金端末情報）と、盗難情報収集／配信システム４２によって紙幣盗難配信システム５０から収集された紙幣盗難情報をデータベース４４より取り出し、入出金情報と紙幣盗難情報の照合を実施し、入出金情報に含まれる入金された紙幣の紙幣番号（入金紙幣番号）と、紙幣盗難情報に含まれる盗難紙幣番号とが合致するか、又は、端末群１０〜３０より入金情報（入金紙幣番号と入金端末情報）はインターネット１００を介して送信されているが、出金情報（出金紙幣番号と出金端末情報）が送信されていない紙幣が端末群１０〜３０の所定のものに入金されたという入金情報が端末群１０〜３０の所定のものから送信され、紙幣管理システム４０の入出金情報収集システム４１によって情報収集された場合、その入金された紙幣は盗難等により不正に持ち出されたものであると見なす。そして、盗難情報収集／配信システム４２は、その紙幣の紙幣番号を盗難紙幣通報情報としてインターネット１００を介して紙幣盗難配信システム５０へ配信するようになっている。
【００１２】
データベース４４は、端末群１０〜３０から収集された入出金情報（入金紙幣番号及び出金紙幣番号）と、紙幣盗難情報システム５０から配信された紙幣盗難情報を格納し、必要に応じてそれらの情報を出力する機能を有している。
【００１３】
紙幣盗難配信システム５０は、警察署等に設置される情報処理装置であり、盗難情報収集／配信システム５１と、データベース５３とから構成されている。そして、紙幣盗難配信システム５０を構成する盗難情報収集／配信システム５１には、盗難情報入出力端末５２が接続されている。
【００１４】
盗難情報収集／配信システム５１は、盗難情報入出力端末５２より入力された紙幣盗難情報（盗難等により持ち出された紙幣の紙幣番号）をデータベース５３に格納する機能と、インターネット１００を介して紙幣管理システム４０に紙幣盗難情報を配信する機能と、紙幣盗難情報をデータベース５３から読み出して盗難情報入出力端末５２に出力する機能を有している。
【００１５】
盗難情報入出力端末５２は、紙幣盗難情報を入力する機能と、入力された紙幣盗難情報を盗難情報収集／配信システム５１に供給する機能と、紙幣管理システム４０の盗難情報収集／配信システム４２より配信され、盗難情報収集／配信システム５１によって受信され、データベース５３に格納された、盗難情報照合システム４３が盗難紙幣であると判断した紙幣の入金情報（入金紙幣番号と入金端末情報からなる盗難紙幣通報情報）を、データベース５３から盗難情報収集／配信システム５１を介して読み出し、出力する機能を有している。
【００１６】
データベース５３は、盗難情報収集／配信システム５１から配信された紙幣盗難情報、及び紙幣管理システム４０の盗難情報収集／配信システム４２よりインターネット１００を介して配信された、紙幣管理システム４０が盗難紙幣であると判断した紙幣の入金情報を盗難紙幣通報情報として格納する機能、及び格納した入出金情報を出力する機能を有している。
【００１７】
端末群１０〜３０は、紙幣に埋め込まれたＩＣタグの情報（紙幣番号）を読み出す機能と、その端末群１０〜３０の自身の識別番号（各端末に固有のユニークな端末番号等）、又は設置場所に関する情報（各端末自身が設置されている設置場所の住所、その端末を運用する運用会社名等）を図示せぬ記憶装置に記憶する機能を有している。即ち、予め、流通されるべき紙幣にＩＣタグを埋め込み、このＩＣタグに紙幣番号に対応する紙幣番号情報を登録しておき、端末群１０〜３０の各々の端末情報（入金端末情報又は出金端末情報）を登録しておく。
【００１８】
図２は、本実施の形態の動作を示すフローチャートである。以下、図１及び図２のフローチャートを参照して、本実施の形態の動作について詳細に説明する。
【００１９】
まず最初に、ステップＳ１において、端末群１０〜３０（この例では、レジスター端末１０−１、レジスター端末１０−２、自動販売機端末２０−１、自動販売機端末２０−２、ＡＴＭ端末３０−１、ＡＴＭ端末３０−２）の少なくともいずれかからの入出金情報が紙幣管理システム４０に入力される。即ち、各流通業者、各銀行、各金融業者等に設置されている端末群１０〜３０の少なくともいずれかに紙幣（ＩＣタグ付き）が入金されると、ＩＣタグに登録されている紙幣番号が端末群１０〜３０によって読み取られる。そして、読み取られた紙幣番号（入金紙幣番号）と、端末群１０〜３０の図示せぬ記憶装置にそれぞれ予め登録されている各端末自身の端末情報（入金端末情報（設置されている住所や運用会社名、又は端末を識別するための識別番号等））が、入金情報としてインターネット１００を介して紙幣管理システム４０に送信される。
【００２０】
端末群１０〜３０よりインターネット１００を介して送信された入金情報（入金紙幣番号と、入金端末情報）は、紙幣管理システム４０の入出金情報収集システム４１によって受信された後、データベース４４に供給され、格納される。
【００２１】
出金時も同様に、端末群１０〜３０より紙幣（ＩＣタグ付き）が出金されると、出金された紙幣のＩＣタグに登録されている紙幣番号情報が読み取られる。そして、各端末群１０〜３０にそれぞれ登録されている各端末自身の出金端末情報（設置されている住所や運用会社名、又は端末を識別するための識別番号等）と、上記紙幣番号（出金紙幣番号）とが、出金情報としてインターネット１００を介して紙幣管理システム４０に送信される。
【００２２】
端末群１０〜３０よりインターネット１００を介して送信された出金情報（出金紙幣番号と、出金端末情報）は、紙幣管理システム４０の入出金情報収集システム４１によって受信された後、データベース４４に供給され、格納される。このようにして、端末群１０〜３０より送信されてきた入出金情報（入金情報及び出金情報）が紙幣管理システム４０のデータベース４４に登録される。
【００２３】
次に、ステップＳ２において、紙幣盗難情報が入力される。即ち、警察署等に設置されている紙幣盗難配信システム５０に接続されている盗難情報入出力端末５２より、過去に盗難等により不正に持ち出された紙幣に関する紙幣盗難情報（盗難紙幣の紙幣番号、盗難にあった場所（盗難場所）、盗難にあった日時（盗難日時）等）を入力すると、入力された紙幣盗難情報は、盗難情報収集／配信システム５１によってデータベース５３に供給され、格納される。
【００２４】
その後、盗難情報収集／配信システム５１は、データベース５３に格納された紙幣盗難情報のうち、盗難紙幣の紙幣番号を示すデータのみをインターネット１００を介して紙幣管理システム４０に配信する。インターネット１００を介して配信された盗難紙幣の紙幣番号を示すデータは、盗難情報収集／配信システム４２によって受信され、紙幣盗難情報（盗難紙幣番号）としてデータベース４４に供給され、格納される。
【００２５】
次に、ステップＳ３において、紙幣管理システム４０の盗難情報照合システム４３により、各端末１０〜３０からインターネット１００を介して送信された入出金情報と紙幣保管情報（データベース４４に記憶されている入金紙幣番号）とが比較される。即ち、各端末群１０〜３０から送信されてきた入金情報と、紙幣管理システム４０のデータベース４４に既に記憶されている紙幣番号（入金紙幣番号）とが比較される。データベース４４には各端末群１０〜３０に紙幣を入金したときにその紙幣の紙幣番号が入金紙幣番号として記憶され、出金時には出金された紙幣の紙幣番号が出金紙幣番号として記憶されるとともに、その出金紙幣番号と同一番号の入金紙幣番号がデータベース４４から削除されるようになっている。従って、データベース４４に記憶されている入金紙幣番号は、その入金紙幣番号の紙幣が入金されたままになっており、まだ出金されていない、本来は市場には出回っていないはずのものであると考えることができる。
【００２６】
各端末群１０〜３０のいずれかの端末に紙幣が入金されたとき、その紙幣の紙幣番号が入金紙幣番号としてデータベース４４に既に記憶されている場合、過去において端末群１０〜３０のいずれかの端末に入金され、まだ出金されていないはずの紙幣が再度入金されたこととなり、この紙幣は盗難等により不正に持ち出された紙幣であると見なすことができる。従って、その場合、ステップＳ５に進む。一方、各端末群１０〜３０のいずれかの端末に紙幣が入金されたとき、その紙幣の紙幣番号が入金紙幣番号としてデータベース４４に記憶されていない場合、その紙幣は一旦出金された、盗難等により不正に持ち出されていない正規の紙幣であると見なすことができる。従って、その場合、ステップＳ４に進む。
【００２７】
ステップＳ４においては、ステップＳ１において各端末１０〜３０のいずれかに入金され、データベース４４に記憶されたその紙幣の入金紙幣番号と、データベース４４に記憶されている盗難紙幣番号とが比較される。この盗難紙幣番号は、紙幣盗難配信システム５０よりインターネット１００を介して配信され、紙幣管理システム４０の盗難情報収集／配信システム４２によって受信され、データベース４４に記憶されたものである。その結果、入金紙幣番号と一致する盗難紙幣番号が存在する場合、入金された紙幣は盗難等により不正に持ち出された紙幣であると見なされ、ステップＳ５に進む。一方、入金紙幣番号と一致する盗難紙幣番号が存在しない場合、入金された紙幣は正規の紙幣であると見なされ、ステップＳ３に戻り、ステップＳ３以降の処理が繰り返し実行される。
【００２８】
このように、紙幣管理システム４０の盗難情報照合システム４３は、データベース４４に格納されている各端末群１０〜３０における入金情報（入金紙幣番号と入金端末情報）及び出金情報（出金紙幣番号と出金端末情報）と、データベース４４に既に記憶されている入出金情報及び紙幣盗難配信システム５０により配信された紙幣盗難情報（盗難紙幣番号）とを常に照合する機能を有しており、照合の結果、以下に示す条件１又は条件２を満たす場合、その入金紙幣番号を盗難等によって不正に持ち出された紙幣の紙幣番号であると見なすようになっている。
【００２９】
条件１：端末群１０〜３０のいずれかに入金されたときの入金紙幣番号が記憶されたままであり、その紙幣が出金されていないにも拘わらず、端末１０〜３０のいずれかに同一の紙幣番号の紙幣が入金された場合。
条件２：入金紙幣番号と盗難紙幣番号とが合致した場合。
【００３０】
ステップＳ５においては、盗難情報照合システム４３が、照合の結果、上記条件１又は条件２を満たすと判断すると、照合対象となった上記入金紙幣番号と、その入金紙幣番号に関連づけてデータベース４４に記憶されている入金端末情報とを盗難紙幣通報情報として盗難情報収集／配信システム４２に供給する。盗難情報収集／配信システム４２は、この盗難紙幣通報情報をインターネット１００を介して紙幣盗難配信システム５０内の盗難情報収集／配信システム５１に配信する。
【００３１】
紙幣盗難配信システム５０の盗難情報収集／配信システム５１は、紙幣管理システム４０の盗難情報収集／配信システム４２より配信された盗難紙幣通報情報を受信すると、この盗難紙幣通報情報をデータベース５３に供給し、記憶させる。盗難紙幣通報情報は、上述したように、盗難等により不正に持ち出された紙幣の紙幣番号と、その紙幣がその後に不正に入金された場所を示す入金端末情報とからなる。盗難情報収集／配信システム５１は、データベース５３に記憶された盗難紙幣通報情報を適宜読み出し、盗難情報入出力端末５２に出力する。
【００３２】
また、紙幣盗難配信システム５０の盗難情報収集／配信システム５１は、予め盗難情報入出力端末５２より入力された紙幣盗難情報（盗難等により不正に持ち出された紙幣の紙幣番号、盗難場所、盗難日時等）をデータベース５３に登録しておき、データベース５３より読み出した紙幣盗難情報を盗難情報入出力端末５２に出力する。紙幣盗難配信システム５０を利用する警察署の職員は、盗難情報入出力端末５２より出力された盗難紙幣通報情報や紙幣盗難情報を、盗難紙幣の流通経路等の捜査に活用することができる。
【００３３】
以上説明したように、本実施の形態により以下のような効果を得ることができる。第１の効果は、紙幣盗難事件捜査部門（警察署等）にタイムリーに盗難紙幣通報情報を提供することができることである。第２の効果は、コンビニエンスストア強盗やキャッシュディスペンサー等の破壊による紙幣盗難時に、盗難紙幣の追跡が可能となることである。第３の効果は、盗難紙幣の流通経路の特定が容易となるということである。
【００３４】
なお、上記実施の形態の構成及び動作は例であって、本発明の趣旨を逸脱しない範囲で適宜変更することができることは言うまでもない。
【図面の簡単な説明】
【００３５】
【図１】本発明の盗難紙幣通報システムの一実施の形態の構成例を示す図である。
【図２】図１の実施の形態の動作を説明するためのフローチャートである。
【符号の説明】
【００３６】
１０  レジスター端末
２０  自動販売機端末
３０  ＡＴＭ端末
４０  紙幣管理システム
４１  入出金情報収集システム
４２  盗難情報収集／配信システム
４３  盗難情報照合システム
４４，５３  データベース
５０  紙幣盗難配信システム
５１  盗難情報収集／配信システム
５２  盗難情報入出力端末
【図１】
2005122500.tif 000003
【図２】
2005122500.tif 000004